(57)【要約】【課題】  転写テープを器外に突出している転写ヘッドに巻回させ、被転写面に押圧して塗布膜を転写する塗布膜転写具において、転写テープの詰替えが容易な転写具を実現する。【解決手段】  表面に塗布膜を塗布した転写テープ７は、巻出しコア２から巻き出され、器外に突出する転写ヘッド８を巻回して巻取りコア４に巻き取られる。ケース１は皿状の本体1aと、本体上面を覆う蓋1bとで構成し、巻出しコア４はケース１の本体1aに配置した駆動軸３に対し着脱自在とし、転写ヘッド８はケース内に軸支したアーム６の先端に装着し、転写ヘッドが器外に突出する転写の使用位置と器内に位置する詰替え位置を回動可能とする。本体1aにはアーム６及び転写ヘッド８の回転軌跡上にアーム及び転写ヘッドの回動を阻止する壁を形成せず、本体1a上面を覆う蓋1bにアーム及び転写ヘッドの回動を阻止する壁を形成する。【選択図】  図１
2004148837.tif 000002
【特許請求の範囲】
【請求項１】
表面に塗布膜を塗布した転写テープを巻き付けた巻出しコアと、転写済のテープを巻き取る巻取りコアをケース内に配置し、上記巻出しコアと巻取りコアとを動力伝動手段によって連動させるとともに、巻出しコアから繰り出された転写テープを器外に突出する転写ヘッドに巻回して巻取りコアに巻き取らせ、転写ヘッドを被転写面に押圧しながら移動させることによって転写テープに塗布した塗布膜を転写する塗布膜転写具において、
ケースは、巻出しコアや巻取りコア及びアームが装着される皿状の本体と、本体上面を覆う蓋とで構成し、前記巻出しコアはケースの本体に配置した駆動軸に対し着脱自在とし、前記転写ヘッドは基端をケース内に軸支したアームの先端に装着し、該アームは転写ヘッドが器外に突出する使用位置と転写ヘッドが器内に位置するテープ詰替え位置とを回動可能とし、本体にはアーム及び転写ヘッドの回転軌跡上にアーム及び転写ヘッドの回動を阻止する壁を形成しないとともに、本体上面を覆う蓋に前記アーム及び転写ヘッドの回転軌跡部分に位置し、アーム及び転写ヘッドの回動を阻止する壁を形成したことを特徴とする塗布膜転写具。
【発明の詳細な説明】
【技術分野】
【０００１】
本発明は、片面に修正剤や蛍光剤あるいは粘着剤などを塗布したテープ(転写テープ)をケース内に収容し、巻出しコアに巻回してある転写テープを、器外に突出している転写ヘッドを巻回して器内の巻取りコアに巻き取り、転写ヘッドに巻回されている転写テープを被転写面に押圧しながら移動させることにより、転写テープに塗布されている塗布膜を転写する塗布膜転写具に関する発明である。
【背景技術】
【０００２】
従来の塗布膜転写具は、巻出しコアの装着部と巻取りコアの装着部及び転写ヘッドがケースの定位置に設けられ、使用済みの転写テープを取り替える場合は、巻出しコアから引き出した転写テープを転写ヘッドに巻回させながら巻出しコアと巻取りコアをそれぞれの装着部に装着していた。また、転写テープの詰替えを容易に行うため、特許文献１や特許文献２あるいは特許文献３に開示されるように、巻出しコアや巻取りコア及び転写ヘッドを一組としてカセットケースに収容したカセットを着脱するものも知られている。
【特許文献１】特開平７−６９５１３号公報
【特許文献２】特開平６−２８６９２７号公報
【特許文献３】特開昭６３−２３５２５６号公報
【発明の開示】
【発明が解決しようとする課題】
【０００３】
転写テープを詰替える際に巻出しコアから引き出した転写テープを、転写ヘッドに巻回させ、巻出しコアと巻取りコアをそれぞれの装着部に装着する従来の塗布膜転写具では、詰替えの際に使用者が転写テープに触れなければならず、転写テープの塗布膜が修正剤であれ粘着剤であれ、取扱いが面倒であった。
また、巻出しコアや巻取りコア及び転写ヘッドがセットされたカセットを着脱する従来の塗布膜転写具では、消耗品として使い捨てられるカセット自体が高価なものとなり不経済であった。
【０００４】
上記、従来技術の欠点に鑑み、本発明は使用済の転写テープの詰替えが容易であって、かつ従来のカセットのように無駄がなく、安価な詰替品を供給することができる塗布膜転写具を提供することを目的とするものである。
【課題を解決するための手段】
【０００５】
塗布膜転写具は、表面に修正剤や粘着剤を塗布して剥離可能な塗布膜を形成した転写テープを用い、転写テープ７を巻き付けた巻出しコア２と、転写済のテープを巻き取る巻取りコア４をケース１内に配置し、上記巻出しコア２と巻取りコア４とは動力伝動手段によって連動させる。巻出しコア２から繰り出された転写テープ７は、器外に突出する転写ヘッド８に巻回させて巻取りコア４に巻き取らせ、転写ヘッド８を被転写面に押圧しながら移動させることによって転写テープ７に塗布した塗布膜を転写するようになっている。
【０００６】
ケース１は、巻出しコア２や巻取りコア４及びアーム６が装着される皿状の本体1aと、本体1a上面を覆う蓋1bとで構成する。巻出しコア４はケース１の本体1aに配置した駆動軸３に対し着脱自在とし、転写ヘッド８は基端をケース１内に軸支したアーム６の先端に装着している。そして、アーム６は転写ヘッド８が器外に突出する使用位置と転写ヘッド８が器内に位置するテープ詰替え位置とを回動可能とする。本体1aには、アーム６及び転写ヘッド８の回転軌跡上にアーム６及び転写ヘッド８の回動を阻止する壁を形成せず、本体1a上面を覆う蓋1bにアーム６及び転写ヘッド８の回転軌跡部分を塞ぎ、アーム及び転写ヘッドの回動を阻止する壁を設ける。
【０００７】
転写テープを使用し尽くして、新たな転写テープ７に詰替えようとする場合、アーム６を回動させて転写ヘッド８を器内の詰替え位置に移動させると、今まで使用していた転写テープ７の緊張状態が解除され、装着されている巻出しコアを簡単に取り除くことができる。
使用済の転写テープを取り除いた後、新たな転写テープ７の巻出コア４をケース１内に設けられている駆動軸３に装着して転写テープを取付ける。このとき、転写ヘッド８は回動して器内の詰替え位置にある。したがって、転写テープ７を装着するときに器外に突出している転写ヘッドを巻回させる必要がなく、新しい転写テープ７のコアを駆動軸３に装着した後、アーム６を回動させ転写ヘッド８を器外の使用位置に移動させると、転写テープ７が繰り出され、ピンと緊張した使用状態となる。
【発明の効果】
【０００８】
本発明塗布膜転写具によれば、転写ヘッドを回動自在のアームに装着し、転写ヘッドが器外に突出する転写の使用位置と、転写ヘッドが器内に位置するテープ詰替え位置を回動可能としたため、使用済の転写テープを詰替える際、転写テープを転写ヘッドの外側に容易に巻回させることができ、転写テープを器外の転写ヘッドに巻回させる必要がなく詰替えの作業を容易に行うことができ、転写テープを装着した後アームを転写の使用位置まで回動させると、転写テープを緊張状態にセットすることができる。そして、ケース１は、巻出しコア２や巻取りコア４及びアーム６が装着される皿状の本体1aと、本体1a上面を覆い開閉自在とした蓋1bとで構成し、本体1aにはアーム６及び転写ヘッド８の回転軌跡上に回動を阻止する壁を形成するとともに、本体1aの上面を覆う蓋1bに前記アーム６及び転写ヘッド８の回転軌跡部分に位置し、アーム及び転写ヘッドの回動を阻止する壁を形成しているため、蓋を開けたときに寸法の長いアームの回動操作を円滑に行い、蓋を閉じた転写の使用状態において、アームの内方への妄回動を阻止することができる。
【発明を実施するための最良の形態】
【０００９】
以下、本発明に係る塗布膜転写具の実施形態を添付の図面に基づいて説明する。
図１は、塗布膜転写具の蓋を開けた全体の平面図、図２は使用状態を示す全体の縦断面図である。
【００１０】
ケース１は、全体として手に持って操作し易い形状とし、皿状の本体1aと本体上面を覆う蓋1bとで構成し、本体1aと蓋1bはヒンジ1cで開閉自在としている。この本体1a内には、一定間隔を隔てて巻出しコア２を装着する駆動軸３と、巻取りコア４を装着する駆動軸５を設けるとともに、駆動軸５の近くにアーム６の基端を軸支して平面回動自在としている。アーム６の先端には、巻回した転写テープ７を被転写面に押圧し易い形状とした転写ヘッド８を装着してある。また蓋1bには、巻出しコア２及び巻取りコア４が駆動軸３，５から外れることを防止するための円環状の突出部23が設けられている。
【００１１】
巻出しコア２の駆動軸３はギア９と一体的に、巻取りコア４の駆動軸５はギア10と一体的に形成し、ギア９とギア10はアイドルギア11を介して噛合し、巻出しコア２と巻取りコア４は同方向に回転駆動されるようにしてある。すなわち、転写ヘッド８に巻回されている転写テープ７が、被転写面に押圧された状態で移動していくと、転写テープ７に張力が作用し、これにより巻出しコア２が回転して新たな転写テープが繰り出されるとともに、巻出しコアの回転力がギア９からアイドルギア11を介してギア10に伝えられ、巻取りコア４に転写済のテープが巻き取られる。なお、ギア９，10及びアイドルギア11は、インホ゛リュート歯形のギアを採用している。
【００１２】
上記、転写テープの巻出し及び巻取りの機構において、ギア９とギア10の歯数の選定により、巻取りコアが常に巻出しコア２よりも高速で回転し、転写テープに弛みを生じることなく巻き取られるようにしてある。これにより、転写テープ７は常に緊張状態を維持して巻き取られる。なお、上記巻出し速度と巻取り速度の差は、巻出しコアとその駆動軸との滑り、すなわち滑りクラッチ機構によって吸収させることができる。滑りクラッチ機構は、例えば図11に示すように巻出しコア２の中心孔に内方に向けて弾性を有する舌片22を突出させておき、この舌片22が駆動軸３の一部に係合もしくは密接して動力伝達を行うことによって実現する。あるいは、巻出しコア２と巻取りコア４を、滑りのあるベルト伝動機構によって駆動させるものとすることもできる。
【００１３】
先端に転写ヘッド８が装着されるアーム６の基端部は、一例として巻取りコアのギア10の近辺においてケース１の本体1aに、支軸12によって平面回動自在に軸支し、転写ヘッド８が器外に突出する転写の使用位置と、器内に位置する詰替え位置とを自由に回動できるようにしている。図１の実施例では、アーム６が器内に回動する詰替位置において、先端に装着した転写ヘッド８が巻出しコア２と巻取りコア４の間に位置するようにしてある。  また、アーム６の回動範囲、特に転写のために押圧したときの力が作用する使用位置への回動方向の終端には、本体からストッパー13を突出させ、該ストッパー13がアーム６の凹所14に当接して支受されるようにしている。これにより、転写ヘッドを被転写面に強く押圧した場合でも、アーム６及び転写ヘッド８が使用位置からずれることがなく、良好な転写を継続して行うことができる。図示していないが、同じようなストッパーを器内方向への回動位置の終端部分に設け、転写ヘッドが内方へ回動し過ぎるのを防止することもできる。
【００１４】
図１に示す実施形態では、アーム６を回動させるときにアーム６は、ケース１の本体1aの周縁部分を通過する。したがって、少なくともアーム６及び先端の転写ヘッド８が、回動することができるように、本体1aにはアーム８の回動を阻止する壁を形成しない。例えば、回転軌跡上にある本体1aの周壁を切除する一方で、本体1aに被蓋する蓋1bには、アーム及び転写ヘッドの回転軌跡部分の壁を形成する。例えば、本体1aの切除した周壁部分に嵌合し、この部分を閉塞する部分壁15を突出させる。これにより、被蓋した使用状態において、アーム６が不用意に回動すること及び転写テープ７が不用意に器外に露出するのを防止することができる。
【００１５】
図３は、転写テープの詰替え手順を示すものである。転写テープ７を最後まで使用すると蓋を開け、まず図３の(ａ)に示すようにアーム６を器内に回動させて使用済の転写テープを取り除く。使用済の転写テープを取り除いた巻き出しコアの駆動軸３及び巻取りコアの駆動軸５に、図３の(ｂ)に示すように新たな転写テープの巻出しコアと巻取りコア４を装着する。このとき、巻出しコア２と巻取りコア４の間に連続する転写テープ７は、内方に回動している転写ヘッド８の外側を通すようにする。しかる後、図３の(ｃ)に示すようにアーム６を器外に回動させると、巻出しコア２よりも速い速度で巻取りコア４が回転しながら転写テープが繰り出されてピンと張った緊張状態にセットされ、転写テープの詰替えが完了する。
【００１６】
上記転写テープの詰替えに際しては、図８に示すように、一定寸法のテープホルダー16の両端に、巻出しコア２と巻取りコア４を保持させたものを詰替用品として供給する。そして、テープホルダー16に装着したままの状態で、駆動軸３及び５に巻出しコア２と巻取りコア４を装着するようにすると便利である。すなわち、図８に示すテープホルダー16の長さは、駆動軸３と駆動軸５の軸間寸法と一致する。なお、巻取りコア４の上端には、鍔状のテープガイドを設け、転写済のテープが円滑に巻き取られるようにしている。
【００１７】
図９は、上記テープホルダー16の変形の実施形態であって、二股に分岐したテープホルダー16の先端に、それぞれ巻出しコア２と巻取りコア４を係止させるための舌片16a，16bを形成するとともに、テープホルダー16の基部に巻出しコア２と巻取りコア４間に連続する転写テープ７を巻回させるための舌片16cを形成したものである。舌片16cは、詰替え位置に回動させた転写ヘッド８よりも外方に位置させてある。したがって、図９に示すテープホルダーに装着した転写テープを用いた場合には、図３の(b)に示す転写テープ装着時において、必然的に転写テープが転写ヘッド８に衝突することが回避されることになる。
【００１８】
図１に示す実施形態では、先端に転写ヘッド８を装着したアーム６が、ケース１の器内に位置する詰替え位置と器外に突出する転写の使用位置の範囲を回動し、転写の使用位置において転写圧がストッパー13によって支受されるので使用に支障を来たすことはない。しかしながら、内方に向けて妄動することは必ずしも好ましいものではない。そこで、図４に示す実施形態では、アーム６が外方に回動した転写の使用位置と内方に回動した詰替え位置の二箇所に、本体1aの底面から半球状の突起17を突出させるとともに、アーム６の裏面に突起17が嵌合する凹所18を設け、軽く係止させることができるクリック構造を形成している。これにより、アームを強制的に回動させる操作には支障がないものの、所定の位置に軽く係止され妄動を防止することができる。
【００１９】
図５は、アーム６の変形の実施形態を示す斜視図である。この実施形態では、アームの基端に瓢箪形もしくは長孔状であって二箇所の係止位置を有し、支持軸12に軸支されている状態で、強い力で押圧することによって係止位置を移動させることができるような軸孔19を設けるとともに、アームの側方に枝杆20を突出させている。また、アーム６の先端部分には棒状の支持杆21を立設し、支持杆21に対して少なくとも転写テープの押圧が滑らかに行われるように、例えば転写ヘッド８が少なくとも一定角度の範囲を自由に回動するように装着している。
【００２０】
転写ヘッド８の形状、構造は特に限定されるものではなく、図５に示すようにアーム６の先端に支持杆21によって転写ヘッド８を軸支させるものの他、図12に示すようにアームを兼ねる上下に対向する側板8a，8aの先端にエッジ状加圧部8bを装着したもの、図13に示すようにアーム６の先端にローラ状の転写ヘッド８を軸支したものを採用することができる。
【００２１】
アーム６を軸支する軸孔を、二箇所の任意位置において係止できるようにした図５に示す実施形態では、図６に二点鎖線で示すようにアームが器外に突出する転写の使用状態の回動位置において、アーム６を押し込んで転写ヘッド８を器内に位置させることができ、保管中や携行中に所望の被転写面以外の所に不用意に塗布膜が転写されるのを防止することができる。このように、転写ヘッド８を軸方向に進退させてケース１に出没自在とする方法には、図５に示すように軸孔19を長孔とする以外に、アーム６そのものを二つの杆で構成しテレスコープ式に伸縮自在とする方法や、転写ヘッド８をアーム６に対し移動可能とする方法が考えられる。転写ヘッド８をアーム６に対し移動可能とするには、アーム６の先端部に二つの係止位置を形成した長孔を設け、この長孔に転写ヘッド８の支持杆21を支受させる方法、アームにガイド溝を刻設しておき、該ガイド溝に沿って転写ヘッド８が摺動するとともに、係止爪によって任意位置に係止することができるようにすることができる方法などが考えられる。
【００２２】
また図５に示す実施形態では、アーム６の側方に枝杆20を突出させている。この枝杆20は、塗布膜転写の使用状態においては転写テープ７がケース内において、弛まないようにするガイドとして機能させることができるとともに、図６に示すように、転写ヘッド８を内方に回動させる詰替え位置において、枝杆20の先端を巻取りコア４を駆動するギア10に係合させ、巻出しコアや巻取りコアの駆動機構のロック装置として機能させることができる。すなわち、転写テープ７の詰替え位置において駆動機構がロックされると、巻出しコアと巻取りコアの取り替えを円滑に行うことができる。
【００２３】
図７は、アーム６のさらに別の実施形態を示す斜視図である。この実施形態は、枝杆20を幅の広いものとし、アーム６を内方に回動させる転写テープの詰替え位置において枝杆20がギア10とアイドルギア11の二つのギアに噛合し、駆動機構のロック効果をより確実なものとするとともに、アーム６の一側縁を外方に膨出する形状としたものである。アームの平面形状を、一方の側縁が外方に膨出する形状としたこの実施形態では、二点鎖線で示すようにアーム６を使用位置にまで回動させたときに、その膨出部分61がケース１の本体1a側壁に当接してアーム６の妄回動を阻止し、図１に示す実施形態のストッパー13を省略することができる。また、転写ヘッドに強い力をかけつつ転写を行う場合でも、転写ヘッド８及びアーム６が使用位置からずれることなく、良好な転写を継続して行うことができる。
【００２４】
図10は、アイドルギア11を巻出しコア２の中心と巻取りコア４の中心を結ぶ線より側方(図面上の上方)に移動させて配置した実施形態を示すものである。この実施形態では、アイドルギア11と反対の側方(図面上の下方)に大きなスペースを生じるため、該スペースに回動した転写ヘッド８が入り込むようにすることができる。このように、転写ヘッド８をなるべく内方へ回動させることができるようにしたものでは、転写テープの交換時に転写ヘッド８があまり邪魔にならない。したがって、図８に示すようなテープホルダーに装着された転写テープであっても容易に装着することができる。すなわと、アームが詰替え位置にある状態において、詰め替えられる二つのコア２，４間に架けられた転写テープ７より転写ヘッド８が内方に配置されるようにすることができる。この場合、図８に示すテープホルダー16のように、テープガイドとなる舌片16cを有さないテープホルダーを用いて詰替えを行った場合でも、転写ヘッド８に転写テープが引っかかる虞がなく、容易に詰替えを行うことができる。
なお、図10に示す実施形態では、内方のテープ詰替え位置に回動させた転写ヘッド８の一部がアイドルギア11に係合し、巻出しコア及び巻取りコアの駆動軸が回動しないように固定される。
【図面の簡単な説明】
【００２５】
【図１】本発明塗布膜転写具の一実施形態を、開蓋して示す全体の平面図、
【図２】図１に示す実施形態の、使用状態の縦断面図、
【図３】図１の実施形態の転写テープ詰替え手順を示す平面図、
【図４】アームの回動範囲を示す部分的な平面図、
【図５】アームの変形実施形態を示す斜視図、
【図６】図５のアームを、ケースに装着した状態を示す部分的な平面図、
【図７】さらに別のアームの変形実施形態であって、ケースに装着した使用状態を示す部分的な平面図、
【図８】テープホルダーに装着した詰替え用転写テープの一例を示す平面図、
【図９】詰替え用転写テープホルダーの別の実施形態を示す斜視図、
【図１０】本発明塗布膜転写具の別の実施形態を開蓋して示す全体の平面図、
【図１１】滑りクラッチ機構を備えた巻出しコアの縦断面図、
【図１２】転写ヘッドの別の実施形態を示す斜視図、
【図１３】転写ヘッドがローラである実施形態の斜視図。
【符号の説明】
【００２６】
１…ケース、  1a…本体、  1b…蓋、  ２…巻出しコア、  ３…駆動軸、  ４…巻取りコア、  ５…駆動軸、  ６…アーム、  61…膨出部、  ７…転写テープ、  ８…転写ヘッド、  ９，10…ギア、  11…アイドルギア、  12…支軸、  13…ストッパー、  14…凹所、  15…部分壁、  16…テープホルダー、  19…軸孔、  20…枝杆、  21…支持杆、  22…舌片。
【図１】
2004148837.tif 000003
【図２】
2004148837.tif 000004
【図３】
2004148837.tif 000005
【図４】
2004148837.tif 000006
【図５】
2004148837.tif 000007
【図６】
2004148837.tif 000008
【図７】
2004148837.tif 000009
【図８】
2004148837.tif 000010
【図９】
2004148837.tif 000011
【図１０】
2004148837.tif 000012
【図１１】
2004148837.tif 000013
【図１２】
2004148837.tif 000014
【図１３】
2004148837.tif 000015